(57)【要約】      （修正有）【課題】スキージャンプ競技の採点を行うシステムに関する。競技記録のデータ等をリアルタイムに採点処理する。【解決手段】判定した飛距離データを無線通信のできるようにした飛距離判定手段と、測定したスピードデータを無線通信できるようにしたスピード測定手段と、バーコード読み取り機能を備えてなる無線ハンディターミナル端末と審判採点入力用バーコード表示体とを審判員に用意し、審判員が判定した結果をバーコード入力し、審判採点データを無線通信できるようにした審判採点入力手段と、ホストとなる無線モデムを備えた中央処理パソコンでデータを収集して競技成績情報を作成し、競技成績情報などを無線配信出来るようにしたシステムコントロール手段と、各情報を表示する手段とから構成されており、競技成績情報を作成してデータ−ベースに記憶させるとともに、情報掲示板へ競技成績情報などを無線配信し、リアルタイムに表示できるようにした。【選択図】図８
2005160533.tif 000002
【特許請求の範囲】
【請求項１】
飛距離判定装置に無線モデムを備えておき、判定した飛距離データを読み込み当該データを無線通信のできるようにした飛距離判定手段と
スピード測定装置に無線モデムを備えておき、測定したスピードデータを無線通信できるようにしたスピード測定手段と、
バーコード読み取り機能とテンキー入力機能とを備えてなる無線ハンディターミナル端末と審判採点入力用バーコード表示体とを飛型審判員に対応した数だけ用意し、各飛型審判員が飛行（フライト）、飛型（ランディング）、着地（アウトライン）の３つの要素を判定した結果をバーコード入力および／またはテンキー入力し、その入力された審判採点データを無線通信できるようにした審判採点入力手段と、
ホストとなる無線モデムを備えた中央処理パソコンで、無線送信されてきた飛距離データとスピードデータと審判採点データとを収集し、それに基づいて得点計算処理をし、各選手の本番競技ジャンプ毎の飛躍得点や順位や公式記録や競技成績一覧などの競技成績情報を作成し、記憶したうえ、情報掲示板やモニタへ必要な競技成績情報や競技運営情報を無線配信することの出来るようにしたシステムコントロール手段と、
無線モデムを備えた情報掲示板やモニタであって、無線送信されてきた競技成績情報や競技運営情報を表示できるようにした表示・広報手段とから構成されており、
前記飛距離判定手段やスピード測定手段や審判採点入力手段等から無線送信されてきた飛距離データやスピードデータや審判採点データをシステムコントロール手段で受信収集し、それに基づいて実績点と審判点を出し、両者を合計して得点計算処理をし、各選手の本番競技ジャンプ毎の飛躍得点や順位や公式記録や競技成績一覧などの競技成績情報をリアルタイムに作成し、その結果をデータ−ベースに記憶させるとともに、情報掲示板やモニタへ必要な競技成績情報や競技運営情報を無線配信して、前記表示・広報手段の情報掲示板やモニタにリアルタイムに必要な競技成績情報や競技運営情報を表示できるようにしたことを特徴とするスキージャンプ競技の採点・表示システム。
【請求項２】
無線モデムを備えた飛距離判定装置とその判定した飛距離データを読み込み当該データを無線通信のできるようにした飛距離判定手段と
無線モデムを備えたスピード測定装置で、測定したスピードデータを無線通信できるようにしたスピード測定手段と、
バーコード読み取り機能とテンキー入力機能とを備え、画面表示付きで、携帯端末ＣＰＵを搭載した無線データ転送型の無線ハンディターミナル端末と審判採点入力用バーコード表示体との組み合わせを、５人の飛型審判員に対応して５組用意し、各飛型審判員が飛型（ランディング）、飛行（フライト）、着地（アウトライン）の３つの要素を判定した結果をバーコード入力またはテンキー入力し、その各飛型審判員の審判採点データをそれぞれ無線通信できるようにした審判採点入力手段と、
ホストとなる無線モデムを備えた中央処理パソコンであって、前記飛距離判定手段とスピード測定手段と５人の飛型審判員の審判採点入力手段とから伝送されてきた飛距離データとスピードデータと審判採点データとを受信収集し、飛距離データから飛距離点を計算するとともにスピードデータを考慮して実績点となし、５人の飛型審判員の審判採点データからは最高点と最低点を切り捨て、中間の３人の飛型飛型審判員の採点データを採用してその合計を審判点となし、この実績点と審判点とを合計して飛躍得点とする得点計算処理をし、各選手の本番競技毎の飛躍得点や順位や公式記録や競技成績一覧などの競技成績情報を作成し、更に参加選手氏名・その所属・実績・スタートナンバー・ゼッケンなどと組み合わせて競技運営情報の作成し、それらの作成された情報を記憶してデータ−ベースを構築し、情報掲示板やモニタ等へ必要な競技成績情報や競技運営情報を配信できるように設定されたシステムコントロール手段と、
観客に知らせるための無線モデムを備えた屋外情報掲示板と、無線モデムを備えた選手控え室情報掲示端末と、必要に応じて設けられる無線モデムを備えた管理棟情報掲示・出力端末と、必要に応じて設けられる競技委員長用モニタや放送室用モニタとからなる情報表示・広報手段とからなり、
前記飛距離判定手段やスピード測定手段や審判採点入力手段等から無線送信されてきた飛距離データとスピードデータと審判採点データとを、システムコントロール手段にて受信収集し、飛距離データから飛距離点を計算するとともにスピードデータを考慮して実績点となし、５人の飛型審判員の審判採点データからは最高点と最低点を切り捨て、中間の３人の飛型審判員による審判採点を採用してその合計を審判点となし、当該実績点と審判点とを合計して飛躍得点とする得点計算処理をなし、各選手の本番競技毎の飛躍得点や順位や公式記録や競技成績一覧などの競技成績情報をリアルタイムに作成し、更に参加選手氏名・その所属・実績・スタートナンバー・ゼッケンなどと組み合わせて競技運営情報をリアルタイムに作成して、それらの作成された情報を記憶してデータ−ベースを構築するとともに、情報掲示板やモニタ等へ必要な競技成績情報や競技運営情報を配信するようになし、
前記情報表示・広報手段では、送信されてきた競技成績情報や競技運営情報を屋外情報掲示板や選手控え室情報掲示端末や必要に応じて設けられる管理棟情報掲示・出力端末や競技委員長モニタや放送室モニタにリアルタイムに表示し、印刷したりする等の出力をするようにしたことを特徴とするスキージャンプ競技の採点・表示システム。
【請求項３】
審判採点入力手段は、無線ハンディターミナル端末と審判採点入力用バーコード表示体との組み合わせからなり、
当該無線ハンディターミナル端末は、バーコード読み取り機能とテンキー入力機能とを備え、画面表示付きで、携帯端末ＣＰＵを搭載し、無線データ転送型のものを用意し、
当該審判採点入力用バーコード表示体は、０.０〜５.０までのフライト得点を０.５刻みにバーコード化した１０個のフライトバーコードを列設してなる飛行（フライト）得点入力用バーコード群と、０.０〜５.０までのランディング得点を０.５刻みにバーコード化した１０個のランディングバーコードを列設してなる飛型（ランディング）得点入力用バーコード群と、０.０〜７.０までのアウトライン得点を０.５刻みにバーコード化したアウトラインバーコードを列設してなる着地（アウトライン）得点入力用バーコード群とを飛型審判員の手の届く範囲に配置表示してなるものを用意し、
飛型審判員が各選手のジャンプ本番競技ジャンプを観察して飛行（フライト）、飛型（ランディング）、着地（アウトライン）の３つの要素を判定した結果を、当該無線ハンディターミナル端末を手に持ってその位置を動かし、前記審判採点入力用バーコード表示体の中から選択してバーコード読み取り入力をなすが、予備的にテンキー入力も出来るようにしたことを特徴とする請求項１または請求項２に記載するスキージャンプ競技の採点・表示システム。
【請求項４】
飛距離判定手段を飛距離判定装置と無線ハンディターミナル端末との組み合わせとなし、飛距離判定装置で判定した飛距離データを無線ハンディターミナル端末に入力し、当該データを無線通信のできるようにしたことを特徴とする請求項１または請求項２に記載するスキージャンプ競技の採点・表示システム。
【請求項５】
スピード測定手段をスピード測定装置と無線ハンディターミナル端末との組み合わせとなし、スピード測定装置で測定したスピードデータを無線ハンディターミナル端末に入力し、無線通信できるようにしたことを特徴とする請求項１または請求項２に記載するスキージャンプ競技の採点・表示システム。
【発明の詳細な説明】
【技術分野】
【０００１】
本発明は、スキージャンプ競技における採点を行う際のシステムに関する。すなわち、本発明は、スキージャンプ競技大会に参加する選手、役員のデータ、競技記録のデータ、その他競技大会の運営データ等をデーターベース化すると共に、リアルタイムな採点処理を実現し、更にデーターベース、入力装置、表示装置、大会本部データ管理処理装置など各種システム構成装置を無線データ通信接続してコードレス化し、全体のシステムが一元管理できるようにしたスキージャンプ競技の採点・表示システムを提供せんとするものである。
【背景技術】
【０００２】
スキージャンプ競技の採点は、ベース情報として競技に参加する選手名、スタートナンバー、ゼッケン、所属名等が特定していることを前提にして、各選手の一回の飛躍（ジャンプ）毎にその飛距離とスピードについて測定した結果を基にして実績点となし、これに５人の飛型審判員が飛型（ランディング）、飛行（フライト）、着地（アウトライン）の３つの要素を判定した結果から計算して審判点として、当該実績点と審判点を合計して飛躍得点とする。各選手はこのスキージャンプ本番競技ジャンプを行いその飛躍得点の高さによる順位を競い合うのである。競技会によっては、この本番競技ジャンプを１回又は２回繰り返して、その飛躍得点の合計点により順位を競い合うのである。更に、この飛躍得点の合計点を複合競技のジャンプ部門得点に換算して、順位と得点を競い合う場合もある。
【０００３】
このようなスキージャンプ競技の採点について、ジャンプの飛距離やスピードなどの実績の測定も、審判による飛型・飛行・着地の３要素判定についても、測定員や飛型審判員やデータ連絡員など、殆ど全てを人手により運営していた時代があった。近年は、コンピュータを飛躍得点の計算処理やその集計や記録処理の道具として使用したり、測定装置を用いてジャンプの実績の測定を行ったりすることは、機械化が進んできている。しかし、まだまだ飛型審判員による判定点の入力は、人手によって行なわれているし、実績測定値や審判採点の結果を集めて得点計算し記録する作業も、部分的に機械化しているだけであり、競技成績の採点掲示板に表示する作業も人手を介して表示情報を再入力するというのが実情である。このように、スキージャンプ競技大会においては、次々に選手が本番競技ジャンプをしてくるので、その競技の進行に伴い測定データや審判採点や飛躍得点、順位など多様な情報が次々と発生するが、これらの情報を迅速且つ正確に処理することが要請されている。しかし、これらスキージャンプ競技大会の多様な情報処理を迅速、正確に一元管理できるシステムは、これまで存在していなかった。
【発明の開示】
【発明が解決しようとする課題】
【０００４】
従来のスキージャンプ競技大会運営に用いられている採点システムや表示システムには、次のような課題があるとされている。
【０００５】
イ）大会運営のシステムに、コンピュータが使用されているが、ジャンプの飛距離とスピードの測定装置と、飛型審判員による飛型・飛行・着地の３要素判定点の入力装置と、集められた測定データや審判採点データの集計・得点計算・順位付け等の採点処理をする中央処理コンピュータと、選手控え室及び見物観客席へ設置される採点表示板等への接続が、複雑なコード配線によって行われているのが実情である。しかるにジャンプ競技の会場であるシャンツェは、その性質上山の中腹や急斜面などの足場の悪い場所で行われるものであり、運営本部、選手、審判、観客、見物客等の場所がそれぞれ離れた場所に散在することになる。そのため、その多様で複雑な配線を設置するのが大変な作業となる。しかも、当該配線コードの断線など、故障時の十分な対応策がとられていない。
【０００６】
ロ）従来のシステムでは、飛型審判員による飛型点の入力を、手作業による数値の直接入力方式になっている。しかるに、その採点方式は、飛型・飛行・着地の３要素を別個に判定して採点しなければならないうえ、その判定した採点を、テンキー等を用いて入力する必要があった。コンピュータへの入力操作に慣れていない飛型審判員の場合には、メモ用紙に各選手のジャンプ毎にその飛型・飛行・着地の３要素の採点結果を記入して、補助者に入力してもらう方法を採っているのが実情である。本番競技ジャンプの度に５秒以内に採点することが要請されているため、飛型審判員にとっては、その正確・迅速な入力作業が大変な負担になっている。しかも、飛型審判員の入力ミスを訂正することができなかったり、困難であったりする場合が多く、公式記録の確定や発表に時間がかかる欠点があった。飛型審判員の誤判定や誤入力を減らすためにも、飛型審判員の判定、入力作業の負担の軽減が強く望まれている。
【０００７】
ハ）ジャンプの飛距離点やスピード測定点などの実績点と、飛型審判員による飛型・飛行・着地の３要素採点の集計・計算・順位付け等をする中央処理コンピュータと、選手控え室や観客席への採点結果を発表する表示板とが、公式記録の蓄積をするためにデータ−ベースとが連動していないことが多く、再入力する必要があったり、全ての入力が完了するまでは表示されなかったりしていた。このため、選手が競技飛躍をおこなってから採点、集計、順位等を掲示板等に表示するまでに時間がかかり、競技の進行が遅くなる傾向がある。
【０００８】
ニ）大会運用中のバックアップ要員や保守要員として、複数の技術者が複数必要となっており、その運用人員の確保と人件費の負担が大変である。
【０００９】
本発明者らは、これらの課題を解消するし、大会運営の効率化のために、スキージャンプ競技大会の多様な情報全体を一元管理できるようにしたスキージャンプ競技採点表示システムを開発することとした。その開発するスキージャンプ競技採点表示システムは、次のような特徴をもたせることとした。
【００１０】
ａ）システムを構成する入力装置、データー蓄積装置、採点計算処理装置、採点表示板等の各システム装置を無線データ通信接続することにより、搬入設置や搬出移動が簡単となり、その作業が大幅に軽減する。また、コードや配線設備が無いので環境への影響がなく運用できる。しかも一元管理システムを実現することにより、運用の効率化を図ることのできる。
【００１１】
ｂ）飛型審判員の採点入力操作を自動化することにより、入力操作や掲示板への表示指示操作の簡素化を図ることができる。またこれによって当該飛型審判員の負担軽減を図るとともに、採点入力ミスを防止し、公式記録の精度を向上させるようにした。
【００１２】
ｃ）各選手のジャンプ毎に飛距離、速度、飛型審判員の得点を即時に作成し、その採点した公式記録や順位等の結果を、リアルタイムに選手控え室と見物客席に設けた採点掲示板に表示できるようにし、大会運営がよりスムーズに進行されるようにする。
【００１３】
ｄ）スキージャンプ用のデーターベースを構築して、そのデータの共有化をすることにより、選手のスタートリストを外部から取り込めるようにしたり、出力できるようにする。これによって、複合競技用に利用できたり、他の競技大会への効率的な情報提供が図れるようにしたりする。更に、当該データーベースを利用してインターネット等への大会情報の提供をも可能にして、公共サービスの充実を図るようにする。
【００１４】
ｅ）構成システムを一元化して、運用オペレーションの簡素化と、システム機能のチェックの簡素化を図り、競技大会に参加する保守管理者や専門技術者が少数でも充分なものとする。
【課題を解決するための手段】
【００１５】
本発明は、前記の技術的課題を解決するための手段として、スキージャンプ競技の採点・表示システムを以下のように構成したものである。
【００１６】
特許を受けようとする第１発明は、飛距離判定装置に無線モデムを備えておき、判定した飛距離データを読み込み当該データを無線通信できるようにした飛距離判定手段と、スピード測定装置に無線モデムを備えておき、測定したスピードデータを無線通信できるようにしたスピード測定手段と、バーコード読み取り機能とテンキー入力機能とを備えてなる無線ハンディターミナル端末と審判採点入力用バーコード表示体とを飛型審判員に対応した数だけ用意し、各飛型審判員が飛行（フライト）、飛型（ランディング）、着地（アウトライン）の３つの要素を判定した結果をバーコード入力および／またはテンキー入力し、その入力された審判採点データを無線通信できるようにした審判採点入力手段と、ホストとなる無線モデムを備えた中央処理パソコンで、無線送信されてきた飛距離データとスピードデータと審判採点データとを受信収集し、それに基づいて得点計算処理をし、各選手の本番競技毎の飛躍得点や順位や公式記録や競技成績一覧などの競技成績情報を作成し、これを記憶したうえ、情報掲示板やモニタへ必要な競技成績情報や競技運営情報を無線配信することの出来るようにしたシステムコントロール手段と、無線モデムを備えた情報掲示板やモニタであって、無線送信されてきた競技成績情報や競技運営情報を表示できるようにした表示・広報手段とから構成されており、前記飛距離判定手段やスピード測定手段や審判採点入力手段から無線送信されてきた飛距離データやスピードデータや審判採点データをシステムコントロール手段で受信収集し、それに基づいて実績点と審判点を出し、両者を合計して得点計算処理をして、各選手の本番競技ジャンプ毎の飛躍得点や順位や公式記録や競技成績一覧などの競技成績情報をリアルタイムに作成し、その結果をデータ−ベースに記憶させるとともに、情報掲示板やモニタへ必要な競技成績情報や競技運営情報を無線配信して、前記表示・広報手段の情報掲示板やモニタに、リアルタイムに必要な競技成績情報や競技運営情報を表示できるようにしたことを特徴とするスキージャンプ競技の採点・表示システムである。
【００１７】
特許を受けようとする第２発明は、無線モデムを備えた飛距離判定装置とその判定した飛距離データを読み込み当該データを無線通信できるようにした飛距離判定手段と、無線モデムを備えたスピード測定装置で、測定したスピードデータを無線通信できるようにしたスピード測定手段と、バーコード読み取り機能とテンキー入力機能とを備え、画面表示付きで、携帯端末ＣＰＵを搭載した無線データ転送型の無線ハンディターミナル端末と審判採点入力用バーコード表示体との組み合わせを、５人の飛型審判員に対応して５組用意し、各飛型審判員が飛型（ランディング）、飛行（フライト）、着地（アウトライン）の３つの要素を判定した結果をバーコード入力またはテンキー入力し、その各飛型審判員の審判採点データをそれぞれ無線通信できるようにした審判採点入力手段と、ホストとなる無線モデムを備えた中央処理パソコンであって、前記飛距離判定手段とスピード測定手段と５人の飛型審判員の審判採点入力手段とから伝送されてきた飛距離データとスピードデータと審判採点データとを受信収集し、飛距離データから飛距離点を計算するとともにスピードデータを考慮して実績点となし、５人の飛型審判員の審判採点データからは最高点と最低点を切り捨て、中間３人の飛型審判員の採点合計を実績点となし、この実績点と実績点とを合計して飛躍得点とする得点計算処理をし、各選手の本番競技ジャンプ毎の飛躍得点や順位や公式記録や競技成績一覧などの競技成績情報を作成し、更に参加選手氏名・その所属・実績・スタートナンバー・ゼッケンなどと組み合わせて競技運営情報の作成し、それらの作成された情報を記憶してデータ−ベースを構築し、情報掲示板やモニタ等へ必要な競技成績情報や競技運営情報を配信できるように設定したシステムコントロール手段と、観客に知らせるための無線モデムを備えた屋外情報掲示板と、無線モデムを備えた選手控え室情報掲示端末と、必要に応じて設けられる無線モデムを備えた管理棟情報掲示・出力端末と、必要に応じて設けられる競技委員長用モニタや放送室用モニタとからなる情報表示・広報手段とからなり、前記飛距離判定手段やスピード測定手段や審判採点入力手段等から無線送信されてきた飛距離データとスピードデータと審判採点データとを、システムコントロール手段にて受信収集し、飛距離データから飛距離点を計算するとともにスピードデータを考慮して実績点となし、５人の飛型審判員の審判採点データからは最高点と最低点を切り捨て、中間３人の飛型審判員の審判採点を採用して、その合計を審判点とし、当該実績点と審判点とを合計して飛躍得点とする得点計算処理をなし、各選手の本番競技ジャンプ毎の飛躍得点や順位や公式記録や競技成績一覧などの競技成績情報をリアルタイムに作成し、更に参加選手氏名・その所属・実績・スタートナンバー・ゼッケンなどと組み合わせて競技運営情報をリアルタイムに作成して、それらの作成された情報を記憶してデータ−ベースを構築するとともに、情報掲示板やモニタ等へ必要な競技成績情報や競技運営情報を配信するようになし、前記情報表示・広報手段では、送信されてきた競技成績情報や競技運営情報を屋外情報掲示板や選手控え室情報掲示端末や必要に応じて設けられる管理棟情報掲示・出力端末や競技委員長モニタや放送室モニタにリアルタイムに表示し、印刷したりする等の出力をするようにしたことを特徴とするスキージャンプ競技の採点・表示システムである。
【００１８】
特許を受けようとする第３発明は、審判採点入力手段を無線ハンディターミナル端末と審判採点入力用バーコード表示体との組み合わせとなし、当該無線ハンディターミナル端末は、バーコード読み取り機能とテンキー入力機能とを備え、画面表示付きで、携帯端末ＣＰＵを搭載し、無線データ転送型のものを用意し、当該審判採点入力用バーコード表示体は、０.０〜５.０までのフライト減点を０.５刻みにバーコード化した１０個のフライトバーコードを列設してなる飛行（フライト）得点入力用バーコード群と、０.０〜５.０までのランディング減点を０.５刻みにバーコード化した１０個のランディングバーコードを列設してなる飛型（ランディング）得点入力用バーコード群と、０.０〜７.０までのアウトライン減点を０.５刻みにバーコード化したアウトラインバーコードを列設してなる着地（アウトライン）得点入力用バーコード群とを、飛型審判員の手の届く範囲に配置表示してなるものを用意し、飛型審判員が各選手のジャンプ本番競技ジャンプを観察して飛行（フライト）、飛型（ランディング）、着地（アウトライン）の３つの要素を判定した結果を当該無線ハンディターミナル端末を手に持ってその位置を動かし、前記審判採点入力用バーコード表示体の中から選択してバーコード読み取り入力をなすが、予備的にテンキー入力も出来るようにしたことを特徴とする第１発明または第２発明に記載するスキージャンプ競技の採点・表示システムである。
【００１９】
特許を受けようとする第４発明は、飛距離判定手段を飛距離判定装置と無線ハンディターミナル端末との組み合わせとなし、飛距離判定装置で判定した飛距離データを無線ハンディターミナル端末に入力して、当該データを無線通信のできるようにしたことを特徴とする第１発明または第２発明に記載するスキージャンプ競技の採点・表示システムである。
【００２０】
特許を受けようとする第５発明は、スピード測定手段をスピード測定装置と無線ハンディターミナル端末との組み合わせとなし、スピード測定装置で測定したスピードデータを無線ハンディターミナル端末に入力して、無線通信できるようにしたことを特徴とする第１発明または第２発明に記載するスキージャンプ競技の採点・表示システムである。
【発明の効果】
【００２１】
スキージャンプ競技会のシャンツェとその会場は、ジャンプ競技の特性から山中や急傾斜地となることが多く、必然的に足場が悪い所になるが、本発明のように、スキージャンプ競技の採点・表示システムを構成する飛距離判定手段とスピード測定手段と審判採点入力手段とシステムコントロール手段と情報表示・広報手段とを無線データ通信接続となし、コードレス化することにより、関連機器類の搬入設置や接続設定及び搬出移動が簡単となり、その作業を大幅に軽減することができることとなった。従って、本発明にかかるスキージャンプ競技の採点・表示システムの場合には、関連機器類を常設しておかないで、スキージャンプ競技大会が開催される都度、関連機器類を搬入設置し、接続設定して用い、競技を終えれば取り外して収納しておくことができる。それだけではなく、他の競技会場で開催されるスキージャンプ競技大会にも利用できる利点がある。しかも、その関連機器類のメンテナンスもシーズンオフにおける保守管理も非常に簡単且つ容易となる。また、本発明の場合、コードや配線や電柱などの常設設備が必要無いので、自然環境への影響がない点も利点である。
【００２２】
本発明は、審判採点入力手段を、無線ハンディターミナル端末と審判採点入力用バーコード表示体との組み合わせとなし、当該無線ハンディターミナル端末には、バーコード読み取り機能とテンキー入力機能とを備えて、飛型審判員の審判採点の入力操作をバーコード読み取入力と、補助的テンキー入力を併用することができるようにした。このバーコード読み取り入力をするというのは、本来数値入力すべき審判採点を、図形化（バーコード化）して、その図形（バーコード）を選択する方法で瞬時に読み取るが、そのときは本来の審判採点数値として読み取る方法である。このため飛型審判員は、ジャンプ時の観察視線をはずすことなくバーコード読み取入力を感覚的な手の動作だけで、瞬時に審判採点入力ができる。これによって当該飛型審判員の入力作業の負担を大幅に軽減するとともに、入力作業のスピード化を図ることができるようになった。また、この入力方法の採用により、採点入力ミスを防止するとともに、補助的にテンキー入力を併用することにより、入力ミスを簡単に修正でき、公式記録の精度を向上させることができるようになった。
【００２３】
本発明は、各選手の本番競技ジャンプ毎に飛距離データやスピードデータや飛型審判員の審判採点をリアルタイムに集めて、その実績店と審判点を即時に計算処理することができ、更にリアルタイムに飛躍得点を計算して公式記録や順位を確定し、競技成績情報や競技運営情報を形成することもできる。しかも、それらの情報をリアルタイムに掲示板やモニタに表示できるようになった。その結果、大会進行がよりスムーズに効率的になされるようになる。
【００２４】
本発明を実施すると、スキージャンプ競技大会における出場競技者や飛型審判員や競技役員等に関するデータ、各選手の本番競技ジャンプ毎の飛躍得点や順位や公式記録や競技成績一覧などの競技成績情報、選手実績データ、その他大会運営に関するデータ等を無線通信により効率よく収集し、その各種データを編集・制御処理するなど加工したうえ、システムコントロール手段の中にこれを記憶蓄積して、データーベースを簡単に構築できるようになる。
【００２５】
本発明を実施すると、データーベースを簡単に構築することができ、その中のデータを関係者が共有することにより、選手のスタートリストや公式記録を関係者だけでなく外部から取り込んだり、出力できたりするようになり、広報活動が充実する。また、公式記録を複合競技用に利用できたり、他の競技大会の参考資料にしたり、ワールドカップに利用できるなどの便利さがある。このように、大会運営上の広報活動や情報処理の効率化を図ることができる。更に、インターネット等への大会情報の提供が簡単にできることとなって、公共サービスの充実を図ることもができる。
【００２６】
本発明は、当該システムを構成する飛距離判定手段とスピード測定手段と審判採点入力手段とシステムコントロール手段と情報表示・広報手段とを無線接続により一元化した構成にしたので、システムコントロール手段を中心として、運用オペレーションの簡素化と、システム機能のチェックの簡素化を図ることができるようになる。そのため、保守管理者や専門技術者が少数でも充分となるので、大会運営の効率化と経済化を図ることができるようになる。
【発明を実施するための最良の形態】
【００２７】
本発明は、子機としての飛距離判定手段と、スピード測定手段と、審判採点入力手段と、ホストとしてのシステムコントロール手段と、子機としての情報表示・広報手段とを無線データ接続して、無線送信されてきた飛距離データ、スピードデータ、審判採点データを収集し、それに基づいて得点計算処理をし、競技成績情報や競技運営情報を作成し、これらを記憶したうえ、情報掲示板やモニタへ無線配信して、リアルタイムに表示・広報出来るように一元化したスキージャンプ競技の採点・表示システムである。この本発明を実施するための最良の形態は、次のようなものになる。
【００２８】
まず、無線モデムを備えた飛距離判定装置（ビデオ判定データ）により判定した飛距離データをシリアルインターフェースRS−２３２Cで読み込み、その飛距離データについて無線モデムを介してホストに送信できるようにした無線ターミナル端末を、飛距離判定手段とする。
【００２９】
次に、無線モデムを備えたスピード測定装置にて測定したスピードデータについて無線モデムを介して無線でホストに送信できるようにした無線ターミナル端末をスピード測定手段とする。
【００３０】
また、バーコード読み取り機能（バーコードスキャナー）とテンキー入力機能とを備えてなる無線ハンディターミナル端末と審判採点入力用バーコード表示体とを飛型審判員に対応した数だけ用意する。これを用いて各飛型審判員が飛行（フライト）、飛型（ランディング）、着地（アウトライン）の３つの要素を判定した結果を審判採点入力用バーコード表示体から瞬時にバーコード入力し、その内容を修正するときは補助的にテンキー入力し、その上で入力された審判採点データをリアルタイムに無線通信できるようにしたのが審判採点入力手段である。
【００３１】
ホストとなる無線モデムを備えた中央処理パソコンは、無線送信されてきた飛距離データとスピードデータと審判採点データとを収集し、それに基づいて得点計算処理をし、各選手の本番競技ジャンプ毎の飛躍得点や順位や公式記録や競技成績一覧などの競技成績情報を作成し、記憶したうえ、情報掲示板やモニタへ必要な競技成績情報や競技運営情報を無線配信することの出来るようにしたシステムコントロール手段とする。
【００３２】
更に、無線モデムを備えた情報掲示板やモニタであって、無線送信されてきた競技成績情報や競技運営情報を表示できるようにしたものを表示・広報手段とする。本発明は、前記の飛距離判定手段と、スピード測定手段と、審判採点入力手段と、システムコントロール手段と、情報表示・広報手段とが無線で通信可能なるように接続されたシステム構成となっている。
【００３３】
その上で、当該システム構成は、子機である前記飛距離判定手段やスピード測定手段や審判採点入力手段等から無線送信されてきた飛距離データやスピードデータや審判採点データをホストのシステムコントロール手段で受信収集し、それに基づいて実績点と審判点を算出し、両得点を合計して得点計算処理をし、各選手の本番競技ジャンプ毎の飛躍得点や順位や公式記録や競技成績一覧などの競技成績情報をリアルタイムに作成し、その結果をデータ−ベースに記憶させるとともに、情報掲示板やモニタへ必要な競技成績情報や競技運営情報を無線配信して前記表示・広報手段の情報掲示板やモニタに、リアルタイムに必要な競技成績情報や競技運営情報を表示できるようにしたスキージャンプ競技の採点・表示システムである。
【実施例】
【００３４】
本発明を図示実施例に基づいて、詳細に説明する。図１は、本発明に係るスキージャンプ競技の採点・表示システムを構成するシステム構成説明図であり、図２は、スキージャンプ競技の採点・表示システムを構成するハードディスク（機器）の概略構成図である。図３は、審判採点入力手段等を構成する無線ハンディターミナル端末の一実施例を示す斜視図であり、図４は、スキージャンプ競技の審判採点入力用バーコード表示体の一実施例を示す平面図である。また、図５は、無線モデムの一実施例を示す斜視図である。図６は、ホストであるシステムコントロール手段を構成する中央処理パソコンと無線モデムの一実施例を示す説明図であり、図７は、情報表示・広報手段である電光掲示板の一実施例を示す正面図である。また、図８は、本発明の情報処理の流れを示す説明図である。更に、図９は、本発明に係るスキージャンプ競技の採点・表示システムの一実施例についてのシステム構成の配置を示す説明図であり、図１０は、本発明に係るスキージャンプ競技の採点・表示システムの他実施例のシステム構成を示す説明図である。尚、図１１は、スキージャンプ競技の採点方法を示す概略説明図である。
【００３５】
図１、図２のシステム構成説明図と図８の情報処理の流れ図に示すように、本発明は、入力系子機としての飛距離判定手段１と、スピード測定手段２と、審判採点入力手段３と、ホストとしてのシステムコントロール手段４と、出力系子機としての情報表示・広報手段５とを、無線データ接続したものであって、ホストのシステムコントロール手段４が、無線送信されてきた飛距離データ、スピードデータ、審判採点データを受信して入力制御処理をし、それに基づいて得点計算処理をし、記録確定処理をして公式記録を確定させて競技成績情報や競技運営情報を作成し、これらを記憶してデーターベースを構築したうえ、他方では、表示制御処理して情報表示・広報手段５へ配信し、リアルタイムに情報を表示出来るようにしたコードレスのスキージャンプ競技の採点・表示システムである。
【００３６】
図１、図２に示すように、当該飛距離判定手段１は、無線モデム１bを備えた飛距離判定装置１aであって、その判定した飛距離データを読み込み、無線モデム１bを介して当該データを無線通信でホストのシステムコントロール手段４へ送信できるようにしたものである。当該飛距離判定装置１aは、例えば、一実施例としては、高速ビデオカメラを利用して飛距離を測定し、この飛距離データをシリアルインターフェースＲＳ−２３２Ｃにより接続されている無線モデムを介してホストのシステムコントロール手段４へ送信できるようにしてもよいし、図９に示すように、高速ビデオカメラを利用して飛距離を確認した人がその確認した飛距離データを無線ハンディターミナル端末３aに入力して、これをホストのシステムコントロール手段４へ送信できるようにしてもよい。
【００３７】
図１、図２に示すように、前記スピード測定手段２は、無線モデム２bを備えたスピード測定装置２aであって、その測定したスピードデータについて無線モデム２bを介して無線通信でホストのシステムコントロール手段４へ送信できるようにしたものである。当該スピード測定装置２aは、例えば、発光器から受光器に赤外線を飛ばす装置で、選手が赤外線を遮ると信号がタイマーに送られタイムを計測する光電管装置を用いることができる。本発明の場合、図７に示すように当該光電管装置をスキージャンプ台のサッツ近傍に、所定の間隔を置いて設置しておき、選手がその間を滑って通過したときの、２点間の時間差と距離をもとにしてスピード計測をするものを用いても良い。このようにして、計測されたスピードデータについて無線モデム２bを介して、ホストのシステムコントロール手段４へ送信できるようにする。また、他実施例として、図９に示すように、スピード測定装置２aで測定されたスピードデータを無線ハンディターミナル端末３aに入力して、これをホストのシステムコントロール手段４へ送信できるようにしてもよい。このようにして測定されたスピードデータは、参加選手のジャンプ競技条件を均一にするためや、当日の雪質や気温やジャンプ台の大きさや、選手のレベル等に合わせた安全で適切なジャンプ競技ができるようにするための参考資料とされる。そして例えばスターティングゲートの位置の設定や変更に際して考慮されることが多い。
【００３８】
図５は、無線モデム１ｂ，２ｂ，４ｂの一実施例を示す斜視図であるが、この図示装置は、無線ハンディターミナル端末からのデータ収集と配信ができるだけでなく、モデム間のデータ通信も可能であり、外付けするタイプのものであるが、内蔵できるタイプ（図示しない）のものであっても良い。この装置のデータ通信部には、無線方式とコネクタI／F  RS２３２Cを用いた歩調同期、半二重方式とが装備されている。
【００３９】
図１、図２、図３、図４に示すように、前記審判採点入力手段３は、バーコード読み取り機能とテンキー入力機能とを備え、画面表示付きで、携帯端末ＣＰＵを搭載した無線データ転送型の無線ハンディターミナル端末３aと、審判採点入力用バーコード表示体３bとを組み合わせたものである。無線ハンディターミナル端末３aと審判採点入力用バーコード表示体３bとを、５人の飛型審判員に対応して５組用意し、各飛型審判員が飛型（ランディング）、飛行（フライト）、着地（アウトライン）の３つの要素を判定した結果を審判採点データとして審判採点入力用バーコード表示体３bを介して瞬時にバーコード入力をし、訂正などの際は、補助的にテンキー入力して、その各飛型審判員の審判採点データをそれぞれ無線通信できるようにしたものである。
【００４０】
図３に示す無線ハンディターミナル端末３aには、運用形態・入力方式の設定と競技に関する各情報の入力及びホストとなる中央処理パソコン４aへの送受信を行うソフトウエアを内臓している。そして、得点の入力に際しては、審判採点入力用バーコード表示体３bのスキャン方法と直接キーボード入力どちらかでも可能であること、得点の入力方法として飛型明細方式、合計得点方式の２通りが可能であること、棄権の操作が行えること、スタートリストに従って得点の入力ができるようにすること、入力された得点データは内部に保存でき、ホストとなる中央処理パソコン４ａへ一括アップロードできること、ホストとなる中央処理パソコン４ａと通信テストを行うことができ、通信異常の有無と原因が明確に判断できること等が出来るようになっていることが望ましい。
【００４１】
前記システムコントロール４手段は、図６に示すように、無線モデムを備えた中央処理パソコン４ａである。当該中央処理パソコン４ａには、既存の基本ソフトウェアの他に、審判員や情報収集機器用のデータを制御、得点計算、記録の更新、掲示板等への表示をするためのソフトウェアと、現在の運用情報を蓄積保管するためと、過去の実績情報の参照、確認、訂正が行えるバックアップＰＣソフトウェアを備えている。即ち、次のようなことが出来るように設定されている。
【００４２】
前記飛距離判定手段１とスピード測定手段２と、５人の飛型審判員の審判採点入力手段３とから無線で送信されてきた飛距離データとスピードデータと審判採点データとを受信収集する。
飛距離データから飛距離点を計算する。当該飛距離点は、スキーが雪面に着いた時点の距離を、０．５ｍ単位で測定する（着地した選手の両足の中間で測定）。Ｋ点を基準点（６０点）とし、ノーマルヒルの場合には、Ｋ点を基準点（６０点）として１ｍにつき２．０で加減する。また、ラージヒルの場合には、Ｋ点を基準点（６０点として１ｍにつき１．８で加減する。更に、フライングヒルの場合には、Ｋ点を基準点（６０点）として１ｍにつき１．８で加減する。例えば、ノーマルヒルで甲選手が９３．０ｍ、乙選手が８５．０ｍ飛んだとすると、Ａ選手の飛距離点は、６６．０点となり、乙選手の飛距離点は５０．０点となる。これが、実績点である。
審判採点データから審判点を計算する。５人の飛型審判員が、それぞれの審判員ごとに２０点満点から飛型（ランディング）、飛行（フライト）、着地（アウトライン）の３つの要素について、ルールで定められた減点をする方法で採点をする。５人の審判採点データから最高点と最低点を切り捨て、中間３人の飛型審判員の審判採点データを採用し、その合計を審判点とする。例えば、５人の飛型審判員の審判採点データが、Ａ審判員：１９．０、Ｂ審判員：１８．０、Ｃ審判員：１９．５、Ｄ審判員：１８．０、Ｅ審判員：１７．０の場合、最高点のＣ審判員：１９．５と最低点のＥ審判員：１７．０を除き、残りの得点を合計して５５点が審判点となる。
この実績点と審判点とを合計して飛躍得点とする。これがスキージャンプ競技の得点計算処理である。
各選手の本番競技毎の飛躍得点と順位が確定し、公式記録として記録されると、これら競技成績一覧から競技成績情報が作成される。更に参加選手氏名・その所属・実績・スタートナンバー・ゼッケン、その他の大会関連情報などと組み合わせて競技運営情報をも作成する。こうして作成された情報を記憶してデータ−ベースを構築する。
情報掲示板やモニタ等の情報表示・広報手段５へ、無線モデムを介して必要な競技成績情報や競技運営情報を配信する。勿論、必要に応じて、プリンタから、これらの各種情報をプリントアウトする事が出来るのは勿論である。
【００４３】
その他、具体的には、無線ハンディターミナル端末３aから入力された情報が、リアルタイムに保管、参照、確認できること、入力された情報の訂正が行なえること、訂正された情報が、リアルタイムに反映され整合性が正しいこと、再試合の設定をホストとなる中央処理パソコン４aから無線ハンディターミナル端末３aに設定できること、全面的な通信系統のテストがホストとなる中央処理パソコン４aから行い異常の有無が確認できること、任意の時点で必要情報を情報掲示板やモニタ等の情報表示・広報手段５へ配信できるように設定されていることが望ましい。
【００４４】
前記情報表示・広報手段５は、観客に知らせるための無線モデムを備えた屋外情報掲示板５ａと、無線モデムを備えた選手控え室情報掲示端末５ｂと、必要に応じて設けられる無線モデムを備えた管理棟情報掲示・出力端末５ｃと、必要に応じて設けられる競技委員長用モニタ５ｄや放送室用モニタ５ｅとからなる。
【００４５】
当該情報表示・広報手段５の屋外電光掲示板５aは、超高輝度ＬＥＤ使用の屋外仕様で、無線モデムが備えてあり無線によるデータ受信が出来る。また当該屋外電光掲示板５aは、単色文字列の表示方法を設定することができ、異常故障などの自己診断機能付きであり、電光掲示板と選手控え室掲示板が同一情報表示できるようなソフトウェアが装備されている。更に当該電光掲示板は、図６に示すように、選手別速報その他の多目的表示が可能な電光表示装置である総合表示部５a−１と、５人の審判員が判定した審判採点を表示する７セグ方式の数字表示装置である審判採点表示部５a−２と、選手の順位と飛躍得点（実績点と審判点の総合点）を表示する表示装置である選手順位表示部５a-３と図示しない無線モデムとから構成されている。
【００４６】
なお、前記情報表示・広報手段５の選手控え室情報掲示端末５bや管理棟情報掲示・出力端末５cやモニタ５d,５eにも、屋外電光掲示板５aと同じ情報が同時に表示・出力されるようになっている。しかし、その表示装置は、必ずしも電光表示装置である必要はなく、テレビ受像機への出力方式であったり、コンピュータのディスプレイへの出力方式であったりしてもよいこと勿論である。
【００４７】
図９は、本発明に係るスキージャンプ競技の採点・表示システムを実際のスキージャンプ競技会場に配設した実施例である。本発明に係るスキージャンプ競技の採点・表示システムは、上記のように飛距離判定手段１とスピード測定手段２と審判採点入力手段３とシステムコントロール手段４と情報表示・広報手段５とが、無線データ通信接続するように構成されたものであるが、具体的に飛距離判定手段１は、ランディングバーンの着地点の側辺に設置されており、スピード測定手段２は、ジャンプ台の上部滑走部のサッツ近傍側辺に設置してあり、審判採点入力手段３はジャンプ台下の飛躍状態が観察し易い側辺高所の審判員席に設けられている。前記システムコントロール手段４は、大会本部内に設置されており、ここで、システム全体の一元管理している。更に、前記情報表示・広報手段５の屋外電光掲示板５aはシャンツェ周辺に設けられた観客席の近くの観やすい場所に設置されており、選手控え室情報掲示端末５bは、ジャンプ台近傍の選手控え室内に設けられており、管理棟情報掲示・出力端末５cは、競技会場の一角にある大会管理棟の中に設置されており、その他競技委員長室と放送局用にもそれぞれモニタ５e,５dが設けられている。
【００４８】
そのうえで、本発明は、前記飛距離判定手段１やスピード測定手段２や審判採点入力手段３等から無線送信されてきた飛距離データとスピードデータと審判採点データとを、システムコントロール手段４にて受信収集して入力制御処理をし、飛距離データから飛距離点を計算するとともにスピードデータからスピード点を計算して実績点となし、５人の飛型審判員の審判採点データから最高点と最低点を切り捨て、中間３人の飛型審判員の審判採点を採用し、その合計を審判点とし、当該実績点と審判点とを合計して飛躍得点とする得点計算処理をなし、次に記録確定処理をして各選手の本番競技毎の飛躍得点や順位や公式記録や競技成績一覧などの競技成績情報をリアルタイムに作成し、更に参加選手氏名・その所属・実績・スタートナンバー・ゼッケンなどと組み合わせて競技運営情報をリアルタイムに作成して、それらの作成された情報を記憶してデータ−ベースを構築するとともに、表示・制御処理をして情報掲示板やモニタ等へ必要な競技成績情報や競技運営情報を配信するようになし、前記情報表示・広報手段５では、送信されてきた競技成績情報や競技運営情報を屋外情報掲示板や選手控え室情報掲示端末や必要に応じて設けられる管理棟情報掲示・出力端末や競技委員長モニタや放送室モニタにリアルタイムに表示したり印刷したりする等の出力をするようにしたことを特徴とするスキージャンプ競技の採点・表示システムである。
【００４９】
このようにスキージャンプ競技大会は、その広い大会会場の好適な場所にシステム構成する関連機器を配設する必要があるが、これを全て有線で連結しようとすると、かなり大掛かりな配線施設が必要になり、その設置費用や保全管理費用に大きな予算が必要となる。しかも、その使用頻度は年数回の大会開催時だけである。そのためシーズンオフ時の保守管理などの経済的負担が大きくなるという問題があった。然るに、構成する機器類間を無線データ通信により接続すれば、普段は取り外しておいて、必要に応じて簡単に搬入設置し、接続設定するだけで、大会の規模や大会会場に応じてフレキシブルに対応できるので、使い易く、便利であり、経済的である。また、他の競技会場でも用いることが出来るので、その点でも、便利で経済的である。
【００５０】
なお、図１０は、本発明に係るスキージャンプ競技の採点・表示システムの他実施例である。この実施例の場合には、飛距離判定手段１を飛距離判定装置１ａと無線ハンディターミナル端末３ａとの組み合わせとなし、飛距離判定装置１ａで判定した飛距離データを無線ハンディターミナル端末３ａに入力し、当該データを無線通信のできるようにしたことと、スピード測定手段２をスピード測定装置２ａと無線ハンディターミナル端末３ａとの組み合わせとなし、スピード測定装置２ａで測定したスピードデータを無線ハンディターミナル端末３ａに入力し、無線通信できるようにしたことを特徴としている。当該無線ハンディターミナル端末３ａは、小型で、誰にでも簡単に扱うことができるし、正確なリアルタイムネットワークが簡単に構築できるし、接続コードがないので、操作性が良く利用場所が限定されない利点がある。
【００５１】
また、本発明は、前記情報表示・広報手段５の選手控え室情報掲示端末５ｂや必要に応じて設けられる管理棟情報掲示・出力端末５ｃや競技委員長モニタ５ｄや放送室モニタ５ｅは、無線ＬＡＮが形成されており、中心処理パソコン４ａからの配信により各パソコンのディスプレイに必要な競技成績情報や競技運営情報を表示させるようにした点も特徴である。その結果、当該無線ＬＡＮから、競技成績情報や競技運営情報をＷｅｂインターネットに載せる事も可能となった。
【産業上の利用可能性】
【００５２】
本発明は、スキージャンプ競技大会の情報処理を小型でハンディな機器を利用した無線データ通信により行うようにして、設備の搬入、設置、搬出を容易なものとし、ローコストで柔軟性のあるシステムを簡単に構築することができるようになった。また、情報伝達がリアルタイムとなるので、競技大会の情報処理の迅速化と正確さを追求することができ参加選手や観客への情報伝達をリアルタイムにしてサービス向上を図ることができる。更に、システム構成を一元管理できることにより、競技大会の運営を円滑にすることもできる。これによってウインタースポーツの振興を図るとともに、関連するスポーツ機器産業を発達させることができるものである。
【図面の簡単な説明】
【００５３】
【図１】図１は、本発明に係るスキージャンプ競技の採点・表示システムを構成するシステム構成説明図である。
【図２】スキージャンプ競技の採点・表示システムを構成するハードディスク（機器）の概略構成図である。
【図３】審判採点入力手段等を構成する無線ハンディターミナル端末の一実施例を示す斜視図である。
【図４】スキージャンプ競技の審判採点入力用バーコード表示体の一実施例を示す平面図である。
【図５】無線モデムの一実施例を示す斜視図である。
【図６】ホストであるシステムコントロール手段を構成する中央処理パソコンと無線モデムの一実施例を示す説明図である。
【図７】情報表示・広報手段である電光掲示板の一実施例を示す正面図である。
【図８】本発明の情報処理の流れを示す説明図である。
【図９】本発明に係るスキージャンプ競技の採点・表示システムの一実施例にシステム構成の配置を示す説明図である。
【図１０】本発明に係るスキージャンプ競技の採点・表示システムの他実施例のシステム構成を示す説明図である。
【図１１】スキージャンプ競技の採点方法を示す概略説明図である。
【符号の説明】
【００５４】
１：飛距離判定手段
１a：飛距離判定装置
１b：無線モデム
２：スピード測定手段
２a：スピード測定装置
２b：無線モデム
３：審判採点入力手段
３a：無線ハンディターミナル端末
３b：審判採点入力用バーコード表示体
４：システムコントロール手段
４a：中央処理パソコン
４b：無線モデム
５：情報表示・広報手段
５a：屋外情報掲示板
５b：選手控え室情報掲示端末
５c：管理棟情報掲示・出力端末
５d：競技委員長用モニタ
５e：放送室用モニタ
【図１】
2005160533.tif 000003
【図２】
2005160533.tif 000004
【図３】
2005160533.tif 000005
【図４】
2005160533.tif 000006
【図５】
2005160533.tif 000007
【図６】
2005160533.tif 000008
【図７】
2005160533.tif 000009
【図８】
2005160533.tif 000010
【図９】
2005160533.tif 000011
【図１０】
2005160533.tif 000012
【図１１】
2005160533.tif 000013